(57)【特許請求の範囲】
【請求項１】
それぞれのソースとウエルとが接続されるとともにゲートが共通に接続されている互いに直列に接続された複数のＰチャネルトランジスタと、
一方の端部に位置する前記Ｐチャネルトランジスタのソースおよびウエルに接続される電圧源と、
他方の端部に位置する前記Ｐチャネルトランジスタのドレインと接地部との間に接続されるＮチャネルトランジスタと、
電圧源の電源電圧が安定して内部回路の初期化動作が必要ない際に内部回路からの信号を入力して、前記複数のＰチャネルトランジスタをオフするとともに、他方の端部に位置する前記Ｐチャネルトランジスタのドレインの電位を接地電位に固定する電流遮断手段とを備え、
前記Ｎチャネルトランジスタのゲートが、他方の端部に位置する前記Ｐチャネルトランジスタのドレインに接続されることを特徴とする内部初期化回路。
【請求項２】
各Ｐチャネルトランジスタにおけるドレイン−ウエル間の拡散電位に対して直列に接続されたＰチャネルトランジスタの個数を掛けた電圧値が、電圧源から電源電圧を印加した際に安定状態となったときの他方の端部に位置するＰチャネルトランジスタのドレインの電位よりも大きな値となるように、直列に接続されたＰチャネルトランジスタの個数が設定されていることを特徴とする請求項１記載の内部初期化回路。
【請求項３】
電流遮断手段が、
内部回路からの信号を入力する入力部とＰチャネルトランジスタのゲートに接続される出力部とを有するインバータと、
ドレインが他方の端部に位置するＰチャネルトランジスタのドレインに接続されゲートが前記インバータの出力部に接続されソースが接地部に接続されるＮチャネルトランジスタとを備えることを特徴とする請求項１記載の内部初期化回路。
【発明の詳細な説明】
【０００１】
【発明の属する技術分野】
この発明は、半導体集積回路に係り、特に電源電圧立ち上げ時に内部回路を初期化するための内部初期化回路に関するものである。
【０００２】
【従来の技術】
図７は、従来の内部初期化回路の一例を示す回路図である。図において、１０１は電圧源、１０２は接地部、１０３はソースおよびウエルが電圧源１０１に接続されるとともにゲートが接地部１０２に接続されたＰチャネルトランジスタ、１０４はソースおよびウエルが接地部１０２に接続されるとともにゲートおよびドレインがＰチャネルトランジスタ１０３のドレインに接続されたＮチャネルトランジスタ、１０５はＰチャネルトランジスタ１０３およびＮチャネルトランジスタ１０４のドレインに入力部が接続される第１のインバータ、１０６はインバータ１０５の出力部に入力部が接続される第２のインバータである。また、Ｅ点はＰチャネルトランジスタ１０３のドレインとＮチャネルトランジスタ１０４のドレインとの接続部位、Ｆ点はインバータ１０６の出力部位をそれぞれ示すものである。
【０００３】
次に動作について説明する。
図８は、電圧源１０１の電源電圧が立ち上がる際における回路内の所定部位の電圧変化を示す図である。図８に示されるように、電源電圧が立ち上がると、Ｐチャネルトランジスタ１０３のオン抵抗とＮチャネルトランジスタ１０４のオン抵抗との抵抗分割に基づいて、Ｅ点における電位が一定の安定状態に保持されるようになるとともに、Ｆ点における電位がＨレベルからＬレベルに立ち下がり当該信号変化に応じて内部回路が初期化される。
【０００４】
また、図９は電圧源１０１の電源電圧が再立ち上げされる際における回路内の所定部位の電圧変化を示す図である。図９に示されるように、電圧源１０１の電源電圧を立ち下げた後に直ぐに再立ち上げするような場合には、電源電圧が立ち下がった際にＥ点の電位をＨレベルに保持することができなくなり、場合によってはＥ点の電位が０Ｖ以下になってしまう。したがって、電源電圧を再立ち上げする際にＥ点の電位が電源電圧の上昇に追随できなくなり、Ｆ点の電位がＬレベルのまま変化しないことがある。
【０００５】
【発明が解決しようとする課題】
従来の内部初期化回路は以上のように構成されているので、電圧源１０１の電源電圧を立ち下げた後に直ぐに再立ち上げするような場合には、Ｆ点の電位がＬレベルのまま変化しなくなって、内部回路に対する初期化信号を出力できない場合があるという課題があった。
【０００６】
また、Ｐチャネルトランジスタ１０３のゲートが常に接地部１０２に接続されているために、電源投入時においてＰチャネルトランジスタ１０３は常にオン状態となって、電圧源１０１からＰチャネルトランジスタ１０３およびＮチャネルトランジスタ１０４を介して接地部１０２に貫通電流が流れて消費電力が増加するという課題があった。さらに、電源投入時においては、Ｅ点も中間電位となるために、インバータ１０５およびインバータ１０６にも貫通電流が流れて消費電力が増加するという課題があった。
【０００７】
この発明は上記のような課題を解決するためになされたもので、電圧源の直前の状況にかかわらず電圧源の電源電圧が立ち上がった際には確実に内部回路を初期化することができる内部初期化回路を得ることを目的とする。
【０００８】
また、この発明は電圧源の電源電圧が安定して内部回路の初期化動作が必要ない際には内部初期化回路を流れる直流電流をゼロにすることができる内部初期化回路を得ることを目的とする。
【０００９】
【課題を解決するための手段】
この発明に係る内部初期化回路は、それぞれのソースとウエルとが接続されるとともにゲートが共通に接続されて常にオン状態となるように所定の電圧が印加されている互いに直列に接続された複数のＰチャネルトランジスタと、一方の端部に位置するＰチャネルトランジスタのソースおよびウエルに接続される電圧源と、他方の端部に位置するＰチャネルトランジスタのドレインと接地部との間に直列または並列に接続される１または複数のＮチャネルトランジスタとを備え、少なくとも他方の端部に位置するＰチャネルトランジスタのドレインに接続されるＮチャネルトランジスタのゲートが当該ドレインに接続されるようにしたものである。
【００１０】
この発明に係る内部初期化回路は、各Ｐチャネルトランジスタにおけるドレイン−ウエル間の拡散電位に対して直列に接続されたＰチャネルトランジスタの個数を掛けた電圧値が、電圧源から電源電圧を印加した際に安定状態となったときの他方の端部に位置するＰチャネルトランジスタのドレインの電位よりも大きな値となるように、直列に接続されたＰチャネルトランジスタの個数を設定するようにしたものである。
【００１１】
この発明に係る内部初期化回路は、互いに直列または並列に接続されてゲートが共通に接続される１または複数のＰチャネルトランジスタと、一方の端部に位置するＰチャネルトランジスタのソースに接続される電圧源と、他方の端部に位置するＰチャネルトランジスタのドレインと接地部との間に直列または並列に接続される１または複数のＮチャネルトランジスタと、電圧源の電源電圧が安定して内部回路の初期化動作が必要ない際に内部回路からの信号を入力して、他方の端部に位置するＰチャネルトランジスタのドレインの電位を接地電位または電圧源の電位に固定する電流遮断手段とを備え、少なくとも他方の端部に位置するＰチャネルトランジスタのドレインに接続されるＮチャネルトランジスタのゲートが当該ドレインに接続されるようにしたものである。
【００１２】
この発明に係る内部初期化回路は、それぞれのソースとウエルとが接続されるとともにゲートが共通に接続されて互いに直列に接続された複数のＰチャネルトランジスタと、一方の端部に位置するＰチャネルトランジスタのソースおよびウエルに接続される電圧源と、他方の端部に位置するＰチャネルトランジスタのドレインと接地部との間に直列または並列に接続される１または複数のＮチャネルトランジスタと、電圧源の電源電圧が安定して内部回路の初期化動作が必要ない際に内部回路からの信号を入力して、他方の端部に位置するＰチャネルトランジスタのドレインの電位を接地電位または電圧源の電位に固定する電流遮断手段とを備え、少なくとも他方の端部に位置するＰチャネルトランジスタのドレインに接続されるＮチャネルトランジスタのゲートが当該ドレインに接続されるようにしたものである。
【００１３】
この発明に係る内部初期化回路は、電流遮断手段が、内部回路からの信号を入力する入力部とＰチャネルトランジスタのゲートに接続される出力部とを有するインバータと、ドレインが他方の端部に位置するＰチャネルトランジスタのドレインに接続されゲートがインバータの出力部に接続されソースが接地部に接続されるＮチャネルトランジスタとを備えるようにしたものである。
【００１４】
【発明の実施の形態】
以下、この発明の実施の一形態を説明する。
実施の形態１．
図１は、この発明の実施の形態１による内部初期化回路の構成を示す回路図である。図において、１は電圧源、２は接地部、３ｉ（ｉ＝１〜ｎ）はそれぞれソースとウエルとが接続されるとともにゲートが接地部２に共通に接続されて互いに直列に接続されたＰチャネルトランジスタ、４はソースおよびウエルが接地部２に接続されるとともにゲートおよびドレインがＰチャネルトランジスタ３ｎのドレインに接続されたＮチャネルトランジスタ、５はＰチャネルトランジスタ３ｎおよびＮチャネルトランジスタ４のドレインに入力部が接続される第１のインバータ、６はインバータ５の出力部に入力部が接続される第２のインバータである。また、Ｅ点はＰチャネルトランジスタ３ｎのドレインとＮチャネルトランジスタ４のドレインとの接続部位、Ｆ点はインバータ６の出力部位をそれぞれ示すものである。
【００１５】
図２は、図１に示されるＰチャネルトランジスタ３１〜Ｐチャネルトランジスタ３ｎおよびＮチャネルトランジスタ４をＪ−Ｋ方向に沿って見た断面図である。図に示されるように、ｎ段のＰチャネルトランジスタ３１〜３ｎが、Ｐチャネルトランジスタが１つである場合のオン抵抗と同じオン抵抗を与えるためにチャネル長の合計を等しくするようにして、ｎ段に直列に分割して形成されている。
また、各Ｐチャネルトランジスタにおいては、ウエルが前段のＰチャネルトランジスタから延びる配線に接続されているので、ｎ段のＰチャネルトランジスタ３ｉ内におけるドレイン−ウエル接合によって、電圧源１からＥ点までにＰチャネルトランジスタ３ｉのドレイン−ウエル間の拡散電位×ｎの容量結合が生ずる。
さらに、Ｐチャネルトランジスタ３ｉの分割数であるｎについては、当該Ｐチャネルトランジスタ３ｉのドレイン−ウエル間の拡散電位をｎ倍した電圧値が、電圧源１からの電源電圧を印加した際に安定状態となったときのＥ点の電位よりも大きくなるように設定するものとする。
【００１６】
次に動作について説明する。
まず、電圧源１の電源電圧が立ち上がる際には、図８に示されるように、Ｐチャネルトランジスタ３１〜３ｎのオン抵抗とＮチャネルトランジスタ４のオン抵抗とによる抵抗分割に基づいて、Ｅ点における電位が一定に保持されるようになるとともに、Ｆ点における電位がＨレベルからＬレベルに立ち下がり当該信号変化に応じて内部回路が初期化される。
【００１７】
図３は、電圧源１の電源電圧が再立ち上げされる際における回路内の所定部位の電圧変化を示す図である。図３に示されるように、電圧源１の電源電圧を立ち下げた後に直ぐに再立ち上げするような場合には、図２に示されるようにｎ段のＰチャネルトランジスタ３ｉのドレイン−ウエル接合によって電圧源１からＥ点までにＰチャネルトランジスタ３ｉのドレイン−ウエル間の拡散電位×ｎの容量結合が生ずるために、Ｅ点の電位は電源に引きずられて下がらずに、直ぐに電源を再立ち上げした場合にはすみやかにＥ点の電位はＨレベルとなる。したがって、電圧源１の直前の状況に関係なく、Ｆ点における電位がＨレベルからＬレベルに立ち下がり当該信号変化に応じて内部回路が初期化される。
【００１８】
また、Ｐチャネルトランジスタ３ｉのドレイン−ウエル間の拡散電位をｎ倍した電圧値が電圧源１から電源電圧を印加した際に安定状態となったときのＥ点における電位よりも大きいので、電圧源１の電源電圧が立ち下がってもＥ点の電位は０Ｖ以上に保持されて、すみやかにＨレベルに復帰することが可能となる。
【００１９】
以上のように、この実施の形態１によれば、それぞれソースとウエルとが接続されるとともにゲートが共通に接地部に接続されたｎ個（ｎ≧２）の直列に接続されたＰチャネルトランジスタ３１〜３ｎと、ゲートおよびドレインが一方の端部に位置するＰチャネルトランジスタ３ｎのドレインに接続されたＮチャネルトランジスタ４とを備えるように構成したので、ｎ段のＰチャネルトランジスタ３ｉのドレイン−ウエル接合によって電圧源１からＥ点までにＰチャネルトランジスタ３ｉのドレインーウエル間の拡散電位×ｎの容量結合が生ずるために、電圧源１の電源電圧が立ち下がってもＥ点の電位は電源電圧にひきずられて下がることなくすみやかにＨレベルに戻ることが可能となるので、電圧源の直前の状態にかかわらず安定して初期化信号を出力することができるから、内部回路を安定的に初期化することができるという効果を奏する。
【００２０】
また、Ｐチャネルトランジスタ３ｉのドレイン−ウエル間の拡散電位をｎ倍した電圧値が電圧源１から電源電圧を印加した際に安定状態となったときのＥ点における電位よりも大きくなるようにＰチャネルトランジスタ３ｉの段数ｎの値を設定するように構成したので、電圧源１の電源電圧が立ち下がってもＥ点の電位は０Ｖ以上に保持されてすみやかにＨレベルに復帰することが可能となるので、電圧源の直前の状態にかかわらずより安定して初期化信号を出力することができるから、内部回路をより安定的に初期化することができるという効果を奏する。
【００２１】
実施の形態２．
図４は、この発明の実施の形態２による内部初期化回路の構成を示す回路図である。図４において、図１と同一符号は同一または相当部分を示すのでその説明を省略する。１１は例えばディープパワーダウン時をはじめとして電圧源の電源電圧が安定して内部回路の初期化動作が必要ない際にＬレベルとなる内部回路からの信号を入力とするインバータ、１２はソースおよびウエルが電圧源１に接続されるとともにゲートがインバータ１１の出力部に接続されるＰチャネルトランジスタ、１３はソースおよびウエルが接地部２に接続されるとともにゲートおよびドレインがＰチャネルトランジスタ１２のドレインに接続された第１のＮチャネルトランジスタ、１４はソースおよびウエルが接地部２に接続されドレインがＰチャネルトランジスタ１２のドレインに接続されゲートがインバータ１１の出力部に接続される第２のＮチャネルトランジスタである。なお、インバータ１１とＮチャネルトランジスタ１４とから、電圧源の電源電圧が安定して内部回路の初期化動作が必要ない際に内部回路からのＬレベルの信号を入力して、Ｅ点の電位を接地電位に固定する電流遮断手段が構成される。
【００２２】
次に動作について説明する。
電圧源１の電源電圧が立ち上がる際における内部回路に対する初期化信号の出力に係る動作については、図８に示される従来技術による内部初期化回路と同様であるのでその説明を省略する。次に、電圧源１の電源電圧が安定して内部初期化回路が使用されない際には、内部回路からのＬレベルの信号がインバータ１１に入力され、インバータ１１からＨレベルの信号が出力されて、Ｐチャネルトランジスタ１２がオフ状態となるとともにＮチャネルトランジスタ１４がオン状態となってＥ点の電位が接地電位に固定されるから、電圧源１からＰチャネルトランジスタ１２およびＮチャネルトランジスタ１３を介して接地部２へ流れる貫通電流がゼロとなる。また、インバータ５への入力信号もＬレベルに固定されるために、インバータ５およびインバータ６にも貫通電流が流れない。
【００２３】
以上のように、この実施の形態２によれば、電圧源の電源電圧が安定して内部回路の初期化動作が必要ない際にＬレベルとなる内部回路からの信号を入力するインバータ１１と、ソースおよびウエルが電圧源１に接続されるとともにゲートがインバータ１１の出力部に接続されるＰチャネルトランジスタ１２と、ソースおよびウエルが接地部２に接続されるとともにゲートおよびドレインがＰチャネルトランジスタ１２のドレインに接続されるＮチャネルトランジスタ１３と、ソースおよびウエルが接地部２に接続されドレインがＰチャネルトランジスタ１２のドレインに接続されゲートがインバータ１１の出力部に接続されるＮチャネルトランジスタ１４とを備えるように構成したので、電源電圧が安定して内部回路の初期化動作が必要ない際には、Ｌレベルの信号がインバータ１１に入力されてＰチャネルトランジスタ１２をオフ状態にするとともにＮチャネルトランジスタ１４をオン状態にするので、Ｅ点の電位を接地電位に固定することができるから、電圧源１からＰチャネルトランジスタ１２およびＮチャネルトランジスタ１３を介して接地部２へ流れる貫通電流、並びにインバータ５およびインバータ６を流れる貫通電流をゼロとすることができて、電圧源１の電源電圧が安定した後の内部初期化回路の消費電力を大幅に削減することができるという効果を奏する。
【００２４】
実施の形態３．
図５は、この発明の実施の形態３による内部初期化回路の構成を示す回路図である。図５において、図１と同一符号は同一または相当部分を示すのでその説明を省略する。２１ｉ（ｉ＝１〜ｎ）はそれぞれソースとウエルとが接続されるとともにゲートがインバータ１１の出力部に共通に接続されて互いに直列に接続されるＰチャネルトランジスタ、２２はソースおよびウエルが接地部２に接続されるとともにゲートおよびドレインがＰチャネルトランジスタ２１ｎのドレインに接続される第１のＮチャネルトランジスタ、２３はソースおよびウエルが接地部２に接続されドレインがＰチャネルトランジスタ２１ｎのドレインに接続されゲートがインバータ１１の出力部に接続される第２のＮチャネルトランジスタである。
【００２５】
図６は、図５に示されるＰチャネルトランジスタ２１１〜２１ｎおよびＮチャネルトランジスタ２２をＪ−Ｋ方向に沿って見た断面図である。図に示されるように、Ｐチャネルトランジスタ２１１〜２１ｎが、Ｐチャネルトランジスタが１つである場合のオン抵抗と同じオン抵抗を与えるためにチャネル長の合計を等しくするようにして、ｎ段に直列に分割して形成されている。また、各Ｐチャネルトランジスタにおいては、ウエルが前段のＰチャネルトランジスタから延びる配線に接続されているので、ｎ段のＰチャネルトランジスタ２１ｉ内における各ドレイン−ウエル接合によって、電圧源１からＥ点までにＰチャネルトランジスタ２１ｉのドレイン−ウエル間の拡散電位×ｎの容量結合が生ずる。さらに、Ｐチャネルトランジスタ２１ｉの分割数であるｎについては、当該Ｐチャネルトランジスタ２１ｉのドレイン−ウエル間の拡散電位をｎ倍した電圧値が、電圧源１からの電源電圧を印加した際に安定状態となったときのＥ点の電位よりも大きくなるように設定するものとする。
【００２６】
次に動作について説明する。
電圧源１の電源電圧が立ち上がる際における内部回路に対する初期化信号の出力に係る動作については、図８に示される従来技術による内部初期化回路と同様であるのでその説明を省略する。次に、電圧源１の電源電圧を立ち下げた後に直ぐに再立ち上げするような場合には、図３に示されるようにｎ段のＰチャネルトランジスタ２１ｉのドレイン−ウエル接合によって電圧源１からＥ点までにＰチャネルトランジスタ２１ｉのドレイン−ウエル間の拡散電位×ｎの容量結合が生ずるために、Ｅ点の電位は電源に引きずられて下がることなく、直ぐに電源を再立ち上げした場合もすみやかにＥ点の電位がＨレベルとなる。したがって、電圧源１の直前の状況に関係なく、Ｆ点における電位がＨレベルからＬレベルに立ち下がり当該信号変化に応じて内部回路が初期化される。
【００２７】
また、Ｐチャネルトランジスタ２１ｉのドレイン−ウエル間の拡散電位をｎ倍した電圧値が電圧源１からの電源電圧を印加した際に安定状態となったときのＥ点の電位よりも大きいので、電圧源１の電源電圧が立ち下がってもＥ点の電位は０Ｖ以上に保持されて、すみやかにＨレベルに復帰することが可能となる。
【００２８】
さらに、電圧源の電源電圧が安定して内部回路の初期化動作が必要ない際には、Ｌレベルの内部回路からの信号がインバータ１１に入力されて、インバータ１１からＨレベルの信号が出力され、Ｐチャネルトランジスタ２１１〜２１ｎがオフ状態となるとともにＮチャネルトランジスタ２３がオン状態となってＥ点の電位が接地電位に固定されるから、電圧源１からＰチャネルトランジスタ２１１〜２１ｎおよびＮチャネルトランジスタ２２を介して接地部２へ流れる貫通電流がゼロとなる。また、インバータ５への入力信号もＬレベルに固定されるために、インバータ５およびインバータ６にも貫通電流が流れない。
【００２９】
以上のように、この実施の形態３によれば、電圧源の電源電圧が安定して内部回路の初期化動作が必要ない際にＬレベルとなる内部回路からの信号を入力するインバータ１１と、それぞれソースとウエルとが接続されるとともにゲートがインバータ１１の出力部に接続されて互いに直列に接続されるＰチャネルトランジスタ２１１〜２１ｎと、ソースおよびウエルが接地部２に接続されるとともにゲートおよびドレインがＰチャネルトランジスタ２１ｎのドレインに接続される第１のＮチャネルトランジスタ２２と、ソースおよびウエルが接地部２に接続されドレインがＰチャネルトランジスタ２１ｎのドレインに接続されゲートがインバータ１１の出力部に接続される第２のＮチャネルトランジスタ２３とを備えるように構成したので、ｎ段のＰチャネルトランジスタ２１ｉのドレイン−ウエル接合によって電圧源１からＥ点までにＰチャネルトランジスタ２１ｉのドレイン−ウエル間の拡散電位×ｎの容量結合が生ずるために、電圧源１の電源電圧が立ち下がってもＥ点の電位は電源電圧にひきずられて下がることなくすみやかにＨレベルに復帰することが可能となるので、電圧源の直前の状態にかかわらず安定して初期化信号を出力することができるから、内部回路を安定的に初期化することができるという効果を奏する。
【００３０】
また、Ｐチャネルトランジスタ２１ｉのドレイン−ウエル間の拡散電位をｎ倍した電圧値が電圧源１から電源電圧を印加した際に安定状態となったときのＥ点における電位よりも大きくなるようにＰチャネルトランジスタ２１ｉの段数ｎの値を設定するように構成したので、電圧源１の電源電圧が立ち下がってもＥ点の電位は０Ｖ以上に保持されてすみやかにＨレベルに復帰することが可能となるので、電圧源の直前の状態にかかわらずより安定して初期化信号を出力することができるから、内部回路をより安定的に初期化することができるという効果を奏する。
【００３１】
さらに、電圧源の電源電圧が安定して内部回路の初期化動作が必要ない際には、Ｌレベルの信号がインバータ１１に入力されてＰチャネルトランジスタ２１１〜２１ｎをオフ状態にするとともにＮチャネルトランジスタ２３をオン状態にするので、Ｅ点の電位を接地電位に固定することができるから、電圧源１からＰチャネルトランジスタ２１１〜２１ｎおよびＮチャネルトランジスタ２２を介して接地部２へ流れる貫通電流、並びにインバータ５およびインバータ６を流れる貫通電流をゼロとすることができて、電圧源１の電源電圧が安定した後の内部初期化回路の消費電力を大幅に削減することができるという効果を奏する。
【００３２】
なお、上記実施の形態１から実施の形態３においては、Ｅ点の電圧レベルを入力信号とするインバータ５を備える構成としているが、インバータ５と同じ論理および論理しきい値を有するＮＡＮＤ，ＮＯＲ等の論理回路を用いても同様の効果を奏する。
【００３３】
また、上記実施の形態１から実施の形態３においては、２段のインバータ５およびインバータ６を備える構成としているが、インバータ５を一つ、あるいはインバータ５と同じ論理および論理しきい値を有するＮＡＮＤ回路またはＮＯＲ回路一つを備える構成としてもよく、またインバータまたはＮＡＮＤ，ＮＯＲ等の論理回路を必要な段数追加しても同様の効果を奏する。
【００３４】
また、上記実施の形態２および実施の形態３においては、電圧源の電源電圧が安定して内部回路の初期化動作が必要ない際にＬレベルとなる内部回路からの信号を入力することでインバータ１１およびＮチャネルトランジスタ１４，２３によってＥ点の電位を接地電位に固定したが、インバータ１１を用いることなく、内部回路の初期化動作が必要ない際にＨレベルとなる内部回路からの信号を直接にＰチャネルトランジスタ１２，２１１〜２１ｎおよびＮチャネルトランジスタ１４，２３のゲートに入力してＥ点の電位を接地電位に固定しても同様の効果を奏する。
【００３５】
また、上記実施の形態２および実施の形態３では、電圧源の電源電圧が安定して内部回路の初期化動作が必要ない際にＬレベルとなる内部回路からの信号を入力してインバータ１１およびＮチャネルトランジスタ１４，２３を用いてＥ点の電位を接地電位に固定したが、必ずしもＥ点の電位を接地電位に固定する必要はなく、Ｅ点の電位を電圧源１の電源電圧の電位に固定するような構成を用いても同様の効果を奏する。
【００３６】
さらに、上記実施の形態１から実施の形態３では、内部初期化回路のＥ点において適正な電圧レベルを実現するための抵抗分割に用いられるＮチャネルトランジスタ４，１３，２２はそれぞれ１つが備えられているのみであるが、適当なオン抵抗値を与えるために複数のＮチャネルトランジスタを直列または並列に接続する構成を用いても同様の効果を奏する。
【００３７】
【発明の効果】
以上のように、この発明によれば、それぞれのソースとウエルとが接続されるとともにゲートが共通に接続されて常にオン状態に所定の電圧が印加されている互いに直列に接続された複数のＰチャネルトランジスタと、一方の端部に位置するＰチャネルトランジスタのソースおよびウエルに接続される電圧源と、他方の端部に位置するＰチャネルトランジスタのドレインと接地部との間に直列または並列に接続される１または複数のＮチャネルトランジスタとを備えるように構成したので、複数個のＰチャネルトランジスタのドレイン−ウエル接合によって電圧源から他方の端部に位置するＰチャネルトランジスタのドレイン（以下、初期化信号出力部と称する）までに、Ｐチャネルトランジスタのドレイン−ウエル間の拡散電位にＰチャネルトランジスタの個数を掛けた分の容量結合が生ずるために、電圧源の電源電圧が立ち下がっても初期化信号出力部の電位は電源電圧にひきずられて下がることなくすみやかにＨレベルに復帰することが可能となるので、電圧源の直前の状態にかかわらず安定して初期化信号を出力することができるから、内部回路を安定的に初期化することができるという効果を奏する。
【００３８】
この発明によれば、各Ｐチャネルトランジスタにおけるドレイン−ウエル間の拡散電位に対して直列に接続されたＰチャネルトランジスタの個数を掛けた電圧値が、電圧源から電源電圧を印加した際に安定状態となったときの初期化信号出力部の電位よりも大きな値となるように、直列に接続されたＰチャネルトランジスタの個数を設定するように構成したので、電圧源の電源電圧が立ち下がっても初期化信号出力部の電位は０Ｖ以上に保持されてすみやかにＨレベルに復帰することが可能となるので、電圧源の直前の状態にかかわらずより安定的に初期化信号を出力することができるから、内部回路をより安定的に初期化することができるという効果を奏する。
【００３９】
この発明によれば、互いに直列または並列に接続されてゲートが共通に接続される１または複数のＰチャネルトランジスタと、一方の端部に位置するＰチャネルトランジスタのソースに接続される電圧源と、他方の端部に位置するＰチャネルトランジスタのドレインと接地部との間に直列または並列に接続される１または複数のＮチャネルトランジスタと、電圧源の電源電圧が安定して内部回路の初期化動作が必要ない際に内部回路からの信号を入力して、初期化信号出力部の電位を接地電位または電圧源の電位に固定する電流遮断手段とを備えるように構成したので、電源電圧が安定して内部回路の初期化動作が必要なくなれば、初期化信号出力部の電位を接地電位または電圧源の電位に固定することができるから、電圧源からＰチャネルトランジスタおよびＮチャネルトランジスタを介して接地部へ流れる貫通電流をゼロとすることができて、電圧源の電源電圧が安定した後の内部初期化回路の消費電力を大幅に削減することができるという効果を奏する。
【００４０】
この発明によれば、それぞれのソースとウエルとが接続されるとともにゲートが共通に接続されて互いに直列に接続された複数のＰチャネルトランジスタと、一方の端部に位置するＰチャネルトランジスタのソースおよびウエルに接続される電圧源と、他方の端部に位置するＰチャネルトランジスタのドレインと接地部との間に直列または並列に接続される１または複数のＮチャネルトランジスタと、電圧源の電源電圧が安定して内部回路の初期化動作が必要ない際に内部回路からの信号を入力して、初期化信号出力部の電位を接地電位または電圧源の電位に固定する電流遮断手段とを備えるように構成したので、複数個のＰチャネルトランジスタのドレイン−ウエル接合によって電圧源から初期化信号出力部までにＰチャネルトランジスタのドレイン−ウエル間の拡散電位にＰチャネルトランジスタの個数を掛けた分の容量結合が生ずるために、電圧源の電源電圧が立ち下がっても初期化信号出力部の電位は電源電圧にひきずられることなくすみやかにＨレベルに復帰することが可能となるので、電圧源の直前の状態にかかわらず安定して初期化信号を出力することができるから、内部回路を安定的に初期化することができるという効果を奏する。また、電源電圧が安定して内部回路の初期化動作が必要なくなれば、初期化信号出力部の電位を接地電位または電圧源の電位に固定することができるから、電圧源からＰチャネルトランジスタおよびＮチャネルトランジスタを介して接地部へ流れる貫通電流をゼロとすることができて、電圧源の電源電圧が安定した後の内部初期化回路の消費電力を大幅に削減することができるという効果を奏する。
【００４１】
この発明によれば、電流遮断手段が、内部回路からの信号を入力する入力部とＰチャネルトランジスタのゲートに接続される出力部とを有するインバータと、ドレインが他方の端部に位置するＰチャネルトランジスタのドレインに接続されゲートがインバータの出力部に接続されソースが接地部に接続される接地用Ｎチャネルトランジスタとを備えるように構成したので、電源電圧が安定して内部回路の初期化動作が必要ない際に内部回路からＬレベルの信号を入力すれば、Ｐチャネルトランジスタをオフ状態にするとともに接地用Ｎチャネルトランジスタをオン状態にして初期化信号出力部を接地電位に固定することができるから、インバータと接地用Ｎチャネルトランジスタとから成る簡略な構造を用いて、電圧源の電源電圧が安定した後の内部初期化回路の消費電力を大幅に削減することができるという効果を奏する。
【図面の簡単な説明】
【図１】この発明の実施の形態１による内部初期化回路の構成を示す回路図である。
【図２】図１のＪ−Ｋ線に沿って見たＰチャネルトランジスタおよびＮチャネルトランジスタを示す断面図である。
【図３】電圧源の電源電圧が再立ち上げされる際における回路内の所定部位の電圧変化を示す図である。
【図４】この発明の実施の形態２による内部初期化回路の構成を示す回路図である。
【図５】この発明の実施の形態３による内部初期化回路の構成を示す回路図である。
【図６】図５のＪ−Ｋ線に沿って見たＰチャネルトランジスタおよびＮチャネルトランジスタを示す断面図である。
【図７】従来の内部初期化回路の一例を示す回路図である。
【図８】電圧源の電源電圧が立ち上がる際における回路内の所定部位の電圧変化を示す図である。
【図９】従来の内部初期化回路にて電圧源の電源電圧が再立ち上げされる際における回路内の所定部位の電圧変化を示す図である。
【符号の説明】
１  電圧源、２  接地部、３ｉ（ｉ＝１〜ｎ），１２，２１ｉ（ｉ＝１〜ｎ）Ｐチャネルトランジスタ、４，１３，１４，２２，２３  Ｎチャネルトランジスタ、５，６，１１  インバータ。
【図１】
0004577943.tif 000002
【図２】
0004577943.tif 000003
【図３】
0004577943.tif 000004
【図４】
0004577943.tif 000005
【図５】
0004577943.tif 000006
【図６】
0004577943.tif 000007
【図７】
0004577943.tif 000008
【図８】
0004577943.tif 000009
【図９】
0004577943.tif 000010